(57)【要約】【課題】照明位置の設定に関する手間を軽減する技術を提供する。【解決手段】照明装置は、光を射出する光源と、光によって照明される照明位置を変更する変更部と、入射光量を測定する電子機器から入射光量の測定値を受信する通信部と、変更部が照明位置を変更している変更期間における測定値に基づいて、新たな照明位置を決定する決定部と、を含む。【選択図】図２
2018022552.tif 000002
【特許請求の範囲】
【請求項１】
光を射出する光源と、
前記光によって照明される照明位置を変更する変更部と、
入射光量を測定する電子機器から前記入射光量の測定値を受信する通信部と、
前記変更部が前記照明位置を変更している変更期間における前記測定値に基づいて、新たな照明位置を決定する決定部と、を含むことを特徴とする照明装置。
【請求項２】
前記通信部は、さらに、前記光によって照明される照明領域の変更内容を方位と当該方位における変更の大きさとで示す変更指示を受信し、
前記変更部は、前記変更指示に基づいて前記照明領域を変更することを特徴とする請求項１に記載の照明装置。
【請求項３】
請求項１または２に記載の照明装置と、前記電子機器と、を含むことを特徴とする照明システム。
【請求項４】
光を射出する光源と、
前記光によって照明される照明位置を変更する変更部と、
入射光量を測定する電子機器から、前記変更部が前記照明位置を変更している変更期間における前記入射光量の測定値に基づいて決定された新たな照明位置を受信する照明装置側通信部と、
前記変更部を制御して前記光で前記新たな照明位置を照明する制御部と、を含むことを特徴とする照明装置。
【請求項５】
前記照明装置側通信部は、さらに、前記光によって照明される照明領域の変更内容を方位と当該方位における変更の大きさとで示す変更指示を受信し、
前記変更部は、前記変更指示に基づいて前記照明領域を変更することを特徴とする請求項４に記載の照明装置。
【請求項６】
入射光量を測定する測定部と、
照明装置が照明位置を変更している変更期間における前記入射光量の測定値に基づいて、新たな照明位置を決定する決定部と、
前記新たな照明位置を前記照明装置に送信する電子機器側通信部と、を含むことを特徴する電子機器。
【請求項７】
請求項４または５に記載の照明装置と、請求項６に記載の電子機器と、を含むことを特徴とする照明システム。
【請求項８】
光を射出し、
前記光によって照明される照明位置を変更し、
入射光量を測定する電子機器から前記入射光量の測定値を受信し、
前記照明位置を変更している変更期間における前記測定値に基づいて、新たな照明位置を決定することを特徴とする照明位置決定方法。
【請求項９】
光を射出し、
前記光によって照明される照明位置を変更し、
入射光量を測定する電子機器から、前記照明位置を変更している変更期間における前記入射光量の測定値に基づいて決定された新たな照明位置を受信し、
前記光で前記新たな照明位置を照明することを特徴とする照明方法。
【請求項１０】
照明装置が照明位置を変更している変更期間における入射光量の測定値に基づいて、新たな照明位置を決定し、
前記新たな照明位置を前記照明装置に送信することを特徴とする照明位置決定方法。
【請求項１１】
コンピュータに、
入射光量を測定する測定部を用いて前記入射光量を測定する測定手順と、
照明装置が照明位置を変更している変更期間における前記入射光量の測定値に基づいて、新たな照明位置を決定する決定手順と、
通信部を用いて前記新たな照明位置を前記照明装置に送信する送信手順と、
を実行させるためのプログラム。
【発明の詳細な説明】
【技術分野】
【０００１】
本発明は、照明位置を制御する技術に関する。
【背景技術】
【０００２】
特許文献１には、プロジェクターの機能を備えた照明装置が記載されている。この照明装置は、照明対象に対して所望の画像を投射しながら照明を実行する。
【先行技術文献】
【特許文献】
【０００３】
【特許文献１】特開２０１５−９１００８号公報
【発明の概要】
【発明が解決しようとする課題】
【０００４】
特許文献１に記載の照明装置では、照明対象の位置に応じて照明の位置をユーザーが設定する手間が掛かるため、ユーザビリティの向上が望まれる。
【０００５】
本発明は上述した事情に鑑みてなされたものであり、照明位置の設定に関する手間を軽減することを解決課題とする。
【課題を解決するための手段】
【０００６】
本発明の照明装置の一態様は、光を射出する光源と、前記光によって照明される照明位置を変更する変更部と、入射光量を測定する電子機器から前記入射光量の測定値を受信する通信部と、前記変更部が前記照明位置を変更している変更期間における前記測定値に基づいて、新たな照明位置を決定する決定部と、を含むことを特徴とする。
この態様によれば、ユーザーが照明装置に対して照明位置を設定することなく、照明位置が決定されるため、照明位置の設定に関する手間を軽減することが可能になる。
【０００７】
上述した表示装置の一態様において、前記通信部は、さらに、前記光によって照明される照明領域の変更内容を方位と当該方位における変更の大きさとで示す変更指示を受信し、前記変更部は、前記変更指示に基づいて前記照明領域を変更することとが望ましい。
この態様によれば、照明領域を簡単に変更することができる。
【０００８】
本発明の照明システムの一態様は、上記照明装置と上記電子機器とを含むことを特徴とする。
この態様によれば、ユーザーが照明装置に対して照明位置を設定することなく、照明位置が決定されるため、照明位置の設定に関する手間を軽減することが可能になる。
【０００９】
本発明の照明装置の一態様は、光を射出する光源と、前記光によって照明される照明位置を変更する変更部と、入射光量を測定する電子機器から、前記変更部が前記照明位置を変更している変更期間における前記入射光量の測定値に基づいて決定された新たな照明位置を受信する照明装置側通信部と、前記変更部を制御して前記光で前記新たな照明位置を照明する制御部と、を含むことを特徴とする。
この態様によれば、ユーザーが照明装置に対して照明位置を設定することなく、照明位置が決定されるため、照明位置の設定に関する手間を軽減することが可能になる。
【００１０】
上述した表示装置の一態様において、前記照明装置側通信部は、さらに、前記光によって照明される照明領域の変更内容を方位と当該方位における変更の大きさとで示す変更指示を受信し、前記変更部は、前記変更指示に基づいて前記照明領域を変更することが望ましい。
この態様によれば、照明領域を簡単に変更することができる。
【００１１】
本発明の電子機器の一態様は、入射光量を測定する測定部と、照明装置が照明位置を変更している変更期間における前記入射光量の測定値に基づいて、新たな照明位置を決定する決定部と、前記新たな照明位置を前記照明装置に送信する電子機器側通信部と、を含むことを特徴する。
この態様によれば、ユーザーが照明装置に対して照明位置を設定することなく、照明位置が決定されるため、照明位置の設定に関する手間を軽減することが可能になる。
【００１２】
本発明の照明システムの一態様は、上記照明装置と上記電子機器とを含むことを特徴とする。
この態様によれば、ユーザーが照明装置に対して照明位置を設定することなく、照明位置が決定されるため、照明位置の設定に関する手間を軽減することが可能になる。
【００１３】
本発明の照明位置決定方法の一態様は、光を射出し、前記光によって照明される照明位置を変更し、入射光量を測定する電子機器から前記入射光量の測定値を受信し、前記照明位置を変更している変更期間における前記測定値に基づいて、新たな照明位置を決定することを特徴とする。
この態様によれば、ユーザーが照明装置に対して照明位置を設定することなく、照明位置が決定されるため、照明位置の設定に関する手間を軽減することが可能になる。
【００１４】
本発明の照明方法の一態様は、光を射出し、前記光によって照明される照明位置を変更し、入射光量を測定する電子機器から、前記照明位置を変更している変更期間における前記入射光量の測定値に基づいて決定された新たな照明位置を受信し、前記光で前記新たな照明位置を照明することを特徴とする。
この態様によれば、ユーザーが照明装置に対して照明位置を設定することなく、照明位置が決定されるため、照明位置の設定に関する手間を軽減することが可能になる。
【００１５】
本発明の照明位置決定方法の一態様は、照明装置が照明位置を変更している変更期間における入射光量の測定値に基づいて、新たな照明位置を決定し、前記新たな照明位置を前記照明装置に送信することを特徴とする。
この態様によれば、ユーザーが照明装置に対して照明位置を設定することなく、照明位置が決定されるため、照明位置の設定に関する手間を軽減することが可能になる。
【００１６】
本発明のプログラムの一態様は、コンピュータに、入射光量を測定する測定部を用いて前記入射光量を測定する測定手順と、照明装置が照明位置を変更している変更期間における前記入射光量の測定値に基づいて、新たな照明位置を決定する決定手順と、通信部を用いて前記新たな照明位置を前記照明装置に送信する送信手順と、を実行させる。
この態様によれば、ユーザーが照明装置に対して照明位置を設定することなく、照明位置が決定されるため、照明位置の設定に関する手間を軽減することが可能になる。
【図面の簡単な説明】
【００１７】
【図１】第１実施形態に係る照明システム１０を示した図である。
【図２】照明装置１および電子機器２の構成を示した図である。
【図３】スポットライトＳＬの照明位置の変更例を示した図である。
【図４】照明位置と変更部１０２の領域との関係を示した図である。
【図５】照明位置［１］のときの変更部１０２の状態を示した図である。
【図６】照度センサー２０２の測定値ｍの一例を示した図である。
【図７】照明装置１と電子機器２の動作を説明するためのシーケンス図である。
【図８】記憶部１０５に記憶された照度応答（測定値）の一例を示した図である。
【図９】第２実施形態に係る照明システム１０Ａを示した図である。
【図１０】照明装置１Ａと電子機器２Ａの動作を説明するためのシーケンス図である。
【図１１】第３実施形態に係る照明システム１０Ｂを示した図である。
【図１２】照明装置１Ｂと電子機器２Ｂの動作を説明するためのシーケンス図である。
【図１３】方位付きの領域画像１３ａの一例を示した図である。
【図１４】電子機器２Ｂに表示された照明領域画像１３ｃの変更の一例を示した図である。
【図１５】変更情報（変更後の領域画像１３ａ）の一例を示した図である。
【図１６】変更期間における照明位置の変更例を示した図である。
【発明を実施するための形態】
【００１８】
以下、図面を参照しながら本発明に係る実施の形態を説明する。なお、図面において各部の寸法や縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１９】
＜第１実施形態＞
図１は、本実施形態に係る照明システム１０を示した図である。照明システム１０は、照明装置１と電子機器２とを含んで構成されている。照明装置１は、例えば天井に設置され、スポットライトＳＬを照射できる。さらに、照明装置１は、スポットライトＳＬによって照明される照明位置を変更できる。電子機器２は、スマートフォン等の携帯機器である。電子機器２は、照度センサー（図２参照）を備えている。
【００２０】
電子機器２は、ユーザーがスポットライトＳＬを当てたい場所に置かれる。電子機器２は、照明装置１がスポットライトＳＬの照明位置を変更している変更期間（以下、単に「変更期間」と称する）における照度センサーの測定値の推移を、照明装置１に送信する。照明装置１は、変更期間における照度センサーの測定値の推移に基づいて、電子機器２にスポットライトＳＬが直接的または間接的にあたるようにスポットライトＳＬの位置つまり照明位置を制御する。
【００２１】
図２は、照明装置１および電子機器２の構成を示した図である。照明装置１は、光源１０１と、変更部１０２と、光学系１０３と、通信部１０４と、記憶部１０５と、制御部１０６と、を含む。電子機器２は、入力部２０１と、照度センサー２０２と、通信部２０３と、記憶部２０４と、制御部２０５と、を含む。
【００２２】
まず、照明装置１について説明する。
光源１０１は、光を射出する。変更部１０２は、光源１０１から入射する光の光量を変調する光変調装置を含む。光変調装置としては、例えば、液晶ライトバルブ、またはデジタルマイクロミラーデバイス（ＤＭＤ）等を用いることができる。変更部１０２は、マトリクス上に配列された複数のセルを有する。変更部１０２の各セルは、光の透過状態を変更できる。変更部１０２は、各セルでの光の透過状態を制御することによって、光源１０１が射出した光を用いてスポットライトＳＬを形成する。さらに、変更部１０２は、各セルでの光の透過状態を制御することによって、スポットライトＳＬによって照明される照明位置を変更する。
【００２３】
図３は、変更部１０２によって変更されるスポットライトＳＬの照明位置の例を示した図である。図３に示した例では、変更部１０２は、スポットライトＳＬの照明位置を照明位置［１］〜［２０］の順に変更する。
【００２４】
図４は、照明位置［１］〜［２０］と１対１で対応する変更部１０２の領域１０２［１］〜１０２［２０］を示した図である。領域１０２［１］〜１０２［２０］は、それぞれ、複数のセルにて構成されている。
【００２５】
照明位置［ｎ］（ｎは１〜２０のいずれか）を照明する場合、領域１０２［ｎ］がオン（領域１０２［ｎ］に属するセルが光を透過する状態）となり、かつ、領域１０２［１］〜１０２［２０］のうち領域１０２［ｎ］とは異なる領域がオフ（当該領域に属するセルが光を遮断する状態）となる。照明位置［ｎ］は領域１０２［ｎ］と対応する。
【００２６】
図５は、スポットライトＳＬの照明位置が照明位置［１］であるときの変更部１０２の状態を示した図である。図５では、照明位置［１］に対応する領域１０２［１］がオンとなり、照明位置［２］〜［２０］に対応する領域１０２［２］〜１０２［２０］はオフ（図５の斜線部分）となっている。このため、光源１０１から射出された光の一部が、変更部１０２の領域１０２［１］を通ってスポットライトＳＬになり、このスポットライトＳＬによって照明位置［１］が照明される。
【００２７】
図１に戻って、光学系１０３は、変更部１０２を通過した光を投射する。通信部１０４は、電子機器２と無線通信する。例えば、通信部１０４は、電子機器２から照度センサー２０２の測定値を受信する。
【００２８】
記憶部１０５は、コンピュータにて読み取り可能な記録媒体の一例である。さらに言えば、記憶部１０５は、非一過性（non-transitory）の記録媒体である。記憶部１０５は、例えば、半導体記録媒体、磁気式記録媒体または光学式記録媒体等の公知の任意の形式の記録媒体、または、これらの記録媒体が組み合わされた記録媒体である。なお、本明細書中において、「非一過性」の記録媒体は、一過性の伝搬信号（transitory, propagating signal）を一時的に記憶する伝送線等の記録媒体を除く全てのコンピュータ読み取り可能な記録媒体を含み、揮発性の記録媒体を除外するものではない。
【００２９】
記憶部１０５は、照明装置１の動作を規定するプログラムと、種々の情報（例えば、照度センサー２０２の測定値）と、を記憶する。プログラムは、不図示のネットワークを介した配信の形態で提供され、その後、記憶部１０５にインストールされてもよい。
【００３０】
図６は、記憶部１０５に記憶された照度センサー２０２の測定値ｍ［ｎ］の一例を示した図である。照度センサー２０２の測定値ｍ［１］〜ｍ［２０］は、変更部１０２の領域１０２［１］〜１０２［２０］と１対１に対応づけて記憶される。具体的には、領域１０２［ｎ］を用いてスポットライトＳＬが照射されたときの照度センサー２０２の測定値ｍ［ｎ］が、領域１０２［ｎ］と対応づけて記憶される。
【００３１】
図１に戻って、制御部１０６は、ＣＰＵ（Central Processing Unit）等の処理装置（コンピュータ）である。制御部１０６は、記憶部１０５からプログラムを読み取り実行することによって種々の動作を実行する。制御部１０６は、照明装置１を制御する。例えば、制御部１０６は、変更期間に通信部１０４が受信した照度センサー２０２の測定値に基づいて、さらに言えば、変更期間における照度センサー２０２の測定値の推移に基づいて、今後の照明位置（新たな照明位置）を決定する。制御部１０６は、決定部の一例である。
【００３２】
次に、電子機器２について説明する。
電子機器２は、ユーザーがスポットライトＳＬを当てたい場所に置かれる。
入力部２０１は、タッチパネルである。このため、入力部２０１は、入力機能に加えて表示機能も有する。入力部２０１は、種々の画像を表示し、かつ、ユーザーの入力を受け取る。照度センサー２０２は、入射光量を測定する。通信部２０３は、照明装置１と無線通信する。
【００３３】
記憶部２０４は、コンピュータにて読み取り可能な記録媒体の一例である。さらに言えば、記憶部２０４は、非一過性（non-transitory）の記録媒体である。記憶部２０４は、例えば、半導体記録媒体、磁気式記録媒体または光学式記録媒体等の公知の任意の形式の記録媒体、または、これらの記録媒体が組み合わされた記録媒体である。
【００３４】
記憶部２０４は、電子機器２の動作を規定するプログラムと種々の情報を記憶する。プログラムは、不図示のネットワークを介した配信の形態で提供され、その後、記憶部２０４にインストールされてもよい。
【００３５】
制御部２０５は、ＣＰＵ等の処理装置（コンピュータ）である。制御部２０５は、記憶部２０４からプログラムを読み取り実行することによって種々の動作を実行する。制御部２０５は、電子機器２を制御する。例えば、制御部２０５は、変更期間における照度センサー２０２の測定値を、通信部２０３から照明装置１に送信する。
【００３６】
次に、動作を説明する。
図７は、照明装置１と電子機器２の動作を説明するためのシーケンス図である。以下では、不図示の机にスポットライトＳＬを当てる例を説明する。なお、スポットライトＳＬを当てる位置は机に限らず適宜変更可能である。
【００３７】
ユーザーは、照度センサー２０２が上を向く状態で電子機器２を机の上に置く。なお、電子機器２が置かれた場所は、図３に示した照明位置［１５］と照明位置［２０］との境界であったとする。
【００３８】
その後、ユーザーは、電子機器２の入力部２０１を操作して開始要求を入力する。電子機器２の制御部２０５は、入力部２０１が開始要求を受け取ると、通信部２０３から照明装置１に開始要求を送信する（ステップＳ７０１）。
【００３９】
照明装置１の通信部１０４が開始要求を受信すると、制御部１０６は、通信部１０４から電子機器２に開始応答を送信する（ステップＳ７０２）。
【００４０】
電子機器２の通信部２０３が開始応答を受信すると、制御部２０５は、照度センサー２０２を動作させて入射光量の測定を開始する（ステップＳ７０３）。
【００４１】
一方、照明装置１の制御部１０６は、開始応答を送信すると、変更部１０２の領域１０２［１］〜１０２［２０］のうち領域１０２［１］のみをオンにしてスポットライトＳＬの照明位置を照明位置［１］に変更する（ステップＳ７０４［１］）。この時点から変更期間が開始する。
【００４２】
続いて、制御部１０６は、通信部１０４から電子機器２に照度要求［１］を送信する（ステップＳ７０５［１］）。つまり、制御部１０６は、照明装置１が照明位置「１」を照明しているときの照度センサー２０２の測定値を要求する。
【００４３】
電子機器２の通信部２０３が照度要求［１］を受信すると、制御部２０５は、照度センサー２０２の測定値ｍ［１］を取得し、測定値ｍ［１］を照度応答［１］として通信部２０３から照明装置１に送信する（ステップＳ７０６［１］）。
【００４４】
照明装置１の通信部１０４が照度応答［１］（測定値ｍ［１］）を受信すると、制御部１０６は、照度応答［１］を領域１０２［１］に対応づけて記憶部１０５に記憶する（ステップＳ７０７［１］）。
【００４５】
続いて、照明位置［２］について、上述したステップＳ７０４［１］〜Ｓ７０７［１］に準じた動作（ステップＳ７０４［２］〜Ｓ７０７［２］）が実行される。その後、照明位置が変更されるごとに、ステップＳ７０４［１］〜Ｓ７０７［１］に準じた動作が繰り返される。ここで、照明位置［ｎ］についてのステップＳ７０４［１］〜Ｓ７０７［１］に準じた動作の説明は、上述したステップＳ７０４［１］〜Ｓ７０７［１］の説明において、［１］という文言を［ｎ］という文言に読み替えることで実現される。
【００４６】
照明位置［２０］についてのステップＳ７０４［１］〜Ｓ７０７［１］に準じた動作（ステップＳ７０４［２０］〜Ｓ７０７［２０］）が終了した時点では、記憶部１０５には、測定値ｍ［１］〜ｍ［２０］が記憶される。
【００４７】
図８は、ステップＳ７０７［２０］が終了した時点で記憶部１０５に記憶された照度応答（測定値）の一例を示した図である。ここで、記憶部１０５に記憶された照度応答（測定値）は、変更期間における照度センサー２０２の測定値の推移を表す。
【００４８】
ステップＳ７０７［２０］が終了すると、制御部１０６は、通信部１０４から電子機器２に終了のメッセージを送信する（ステップＳ７０８）。なお、この時点で変更期間が終了する。
【００４９】
電子機器２の通信部２０３が終了のメッセージを受信すると、制御部２０５は、照度センサー２０２の動作を停止して入射光量の測定を終了する（ステップＳ７０９）。
【００５０】
一方、照明装置１の制御部１０６は、記憶部１０５に記憶された照度応答（測定値）に基づいて、今後の照明位置を決定する（ステップＳ７１０）。
【００５１】
以下、ステップＳ７１０の一例を説明する。なお、ステップＳ７１０は、以下に示す一例に限らず適宜変更可能である。
制御部１０６は、まず、記憶部１０５に記憶された測定値のうちの最低値ＭＬ１を特定する。続いて、制御部１０６は、記憶部１０５に記憶された測定値のうち、最低値ＭＬ１のＡ倍（例えば、Ａ＝１．５）以上の測定値を特定する。なお、Ａは１．５に限らず１よりも大きい値であれば適宜変更可能である。続いて、制御部１０６は、変更部１０２の領域１０２［１］〜１０２［２０］のうち、最低値ＭＬ１のＡ倍以上の測定値に対応する領域（図６参照）を、今後の照明に使用する照明位置対応領域として決定する。
図８に示した例では、制御部１０６は、領域１０２［１５］と領域１０２［２０］を照明位置対応領域として決定する。
ここで、領域１０２［ｎ］は照明位置［ｎ］に対応しているので、今後の照明に使用する照明位置対応領域を決定することは、今後の照明位置を決定することを意味する。
ここまでが、ステップＳ７１０の一例の説明である。
【００５２】
続いて、制御部１０６は、変更部１０２の照明位置対応領域のみをオンにして、スポットライトＳＬの照明位置を変更する（ステップＳ７１１）。図８に示した例では、領域１０２［１５］と領域１０２［２０］がオンとなり、照明位置［１５］および照明位置［２０］、つまり電子機器２が置かれている位置が照明される。
【００５３】
本実施形態によれば、ユーザーが照明装置１に対して照明位置を設定することなく、照明位置が決定されるため、照明位置の設定に関する手間を軽減することが可能になる。
【００５４】
また、電子機器２への実際の入射光量に基づいて照明位置が決定されるため、例えば、照明装置１と電子機器２との間に観葉植物などの障害物があっても、その障害物の影響を加味して照明位置を決定することができる。
一例を挙げると、照明装置１と電子機器２との間に観葉植物があり、照明装置１からのスポットライトＳＬが直接的には電子機器２に届かないが、反射光（間接光）で電子機器２が照明される場合に、電子機器２の存在する位置を反射光（間接光）で照明できる。
【００５５】
＜第２実施形態＞
第１実施形態では、照明装置１が変更期間における測定値の推移に基づいて照明位置を決定した。これに対して、本発明の第２実施形態では、電子機器２が変更期間における測定値の推移に基づいて照明位置を決定する。
【００５６】
図９は、本実施形態に係る照明システム１０Ａを示した図である。図９において、図２に示したものと同一構成のものには同一符号を付してある。
第２実施形態に係る照明装置１Ａは、記憶部１０５に記憶されているプログラムが異なる点と、制御部１０６の代わりに制御部１０６ａを有する点において、第１実施形態に係る照明装置１と異なる。第２実施形態に係る電子機器２Ａは、記憶部２０４に記憶されているプログラムが異なる点と、制御部２０５の代わりに制御部２０５ａを有する点において、第１実施形態の電子機器２と異なる。以下、第２実施形態について、第１実施形態と異なる点を中心に説明する。
【００５７】
照明装置１Ａの制御部１０６ａは、ＣＰＵ等の処理装置（コンピュータ）である。制御部１０６ａは、記憶部１０５からプログラムを読み取り実行することによって種々の動作を実行する。制御部１０６ａは、照明装置１Ａを制御する。例えば、制御部１０６ａは、通信部１０４が電子機器２Ａから受信した今後の照明位置を、変更部１０２を制御することによって照明する。本実施形態では、通信部１０４は照明装置側通信部の一例である。
【００５８】
電子機器２Ａの制御部２０５ａは、ＣＰＵ等の処理装置（コンピュータ）である。制御部２０５ａは、記憶部２０４からプログラムを読み取り実行することによって種々の動作を実行する。制御部２０５ａは、電子機器２Ａを制御する。例えば、制御部２０５ａは、変更期間における照度センサー２０２の測定値の推移に基づいて、今後の照明位置を決定する。制御部２０５ａは、今後の照明位置を通信部２０３から照明装置１Ａに送信する。本実施形態では、通信部２０３は電子機器側通信部の一例である。
【００５９】
次に、動作を説明する。
図１０は、照明装置１Ａと電子機器２Ａの動作を説明するためのシーケンス図である。図１０において、図７に示した処理と同一の処理には同一符号を付してある。なお、図１０に示したステップＳ７０１、Ｓ７０３およびＳ７０９は、制御部２０５ａによって実行され、図１０に示したステップＳ７０２、Ｓ７０４［ｎ］、Ｓ７０８およびＳ７１１は、制御部１０６ａによって実行される。以下、図１０に示した処理について、図７に示した処理と異なる処理を中心に動作を説明する。本実施形態でも、電子機器２Ａは、ユーザーがスポットライトＳＬを当てたい位置に置かれる。
【００６０】
照明装置１Ａの制御部１０６ａは、ステップＳ７０４［１］を終了すると、切換タイミングｔ［１］を示すメッセージを、通信部１０４から電子機器２Ａに送信する（ステップＳ１００１［１］）。なお、切換タイミングｔ［ｎ］は照明位置［ｎ］に対応する。
【００６１】
電子機器２Ａの通信部２０３が、切換タイミングｔ［１］を示すメッセージを受信すると、制御部２０５ａは、照度センサー２０２の測定値ｍ［１］を取得し、測定値ｍ［１］を切換タイミングｔ［１］と対応づけて記憶部２０４に記憶する（ステップＳ１００２［１］）。
【００６２】
続いて、照明位置［２］について、上述したステップＳ７０４［１］、Ｓ１００１［１］〜Ｓ１００２［１］に準じた動作（ステップＳ７０４［２］、Ｓ１００１［２］〜Ｓ１００２［２］）が実行される。その後、照明位置が変更されるごとに、ステップＳ７０４［１］、Ｓ１００１［１］〜Ｓ１００２［１］に準じた動作が繰り返される。ここで、照明位置［ｎ］についてのステップＳ７０４［１］、Ｓ１００１［１］〜Ｓ１００２［１］に準じた動作の説明は、上述したステップＳ７０４［１］、Ｓ１００１［１］〜Ｓ１００２［１］の説明において［１］という文言を［ｎ］という文言に読み替えることで実現される。
【００６３】
照明位置が変更されるごとに、ステップＳ７０４［１］、Ｓ１００１［１］〜Ｓ１００２［１］に準じた動作が繰り返されることによって、記憶部２０４には、切換タイミングｔ［ｎ］と測定値ｍ［ｎ］との対応関係が記憶される。この対応関係は、変更期間における照度センサー２０２の測定値の推移を表す。
【００６４】
ステップ１００１［２０］が終了すると、照明装置１Ａの制御部１０６ａはステップＳ７０８を実行し、これに応じて、電子機器２Ａの制御部２０５ａはステップＳ７０９を実行する。
【００６５】
続いて、制御部２０５ａは、記憶部２０４に記憶された測定値ｍ［ｎ］に基づいて、今後の照明位置を決定する（ステップＳ１００３）。
【００６６】
以下、ステップＳ１００３の一例を説明する。なお、ステップＳ１００３は、以下に示す一例に限らず適宜変更可能である。
制御部２０５ａは、まず、記憶部２０４に記憶された測定値のうちの最低値ＭＬ２を特定する。続いて、制御部２０５ａは、記憶部２０４に記憶された測定値のうち、最低値ＭＬ２のＢ倍（例えば、Ｂ＝１．５）以上の測定値を特定する。なお、Ｂは１．５に限らず１よりも大きい値であれば適宜変更可能である。続いて、制御部２０５ａは、切換タイミングｔ［１］〜ｔ［２０］の中から、最低値ＭＬ２のＢ倍以上の測定値に対応する切換タイミング（以下「該当切換タイミング」と称する）を、今後の照明位置に対応する情報として特定する。
ここまでが、ステップＳ１００３の一例の説明である。
【００６７】
続いて、制御部２０５ａは、該当切換タイミングを示す照明要求を、通信部２０３から照明装置１Ａに送信する（ステップＳ１００４）。
【００６８】
照明装置１Ａの通信部１０４が該当切換タイミングを示す照明要求を受信すると、制御部１０６ａは、該当切換タイミングに対応する照明位置（以下「該当照明位置」と称する）を特定する。続いて、制御部１０６ａは、変更部１０２の領域１０２［１］〜１０２［２０］のうち、該当照明位置に対応する領域を、照明位置対応領域として決定する。続いて、制御部１０６ａは、変更部１０２の照明位置対応領域のみをオンにして、スポットライトＳＬの照明位置を変更する（ステップＳ７１１）。
【００６９】
本実施形態によれば、ユーザーが照明装置１Ａに照明位置を設定することなく、照明位置が決定されるため、照明位置の設定に関する手間を軽減することが可能になる。また、電子機器２Ａが今後の照明位置を決定するので、照明装置１Ａが今後の照明位置を決定する構成に比べて、照明装置１Ａの処理負荷を軽減できる。
【００７０】
＜第３実施形態＞
第１実施形態および第２実施形態では、スポットライトＳＬの照明位置が決定されるが、その照明位置での照明領域をユーザーが変更できることが好ましい。本発明の第３実施形態では、ユーザーが電子機器を操作することによって照明領域を変更可能にする。
【００７１】
図１１は、第３実施形態に係る照明システム１０Ｂを示した図である。図１１において、図２に示したものと同一構成のものには同一符号を付してある。
第３実施形態に係る照明装置１Ｂは、記憶部１０５に記憶されているプログラムが異なる点と、制御部１０６の代わりに制御部１０６ｂを有する点と、磁気センサー１０７を有する点において、第１実施形態に係る照明装置１と異なる。
第３実施形態に係る電子機器２Ｂは、記憶部２０４に記憶されているプログラムが異なる点と、制御部２０５の代わりに制御部２０５ｂを有する点と、磁気センサー２０６を有する点において、第１実施形態に係る電子機器２と異なる。以下、第３実施形態について、第１実施形態と異なる点を中心に説明する。
【００７２】
照明装置１Ｂの制御部１０６ｂは、ＣＰＵ等の処理装置（コンピュータ）である。制御部１０６ｂは、記憶部１０５からプログラムを読み取り実行することによって種々の動作を実行する。制御部１０６ｂは、制御部１０６が有する機能に加えて、電子機器２Ｂからの変更指示に基づいてスポットライトＳＬの照明領域を変更する照明領域変更機能を有する。磁気センサー１０７は、磁北を検出する。
【００７３】
電子機器２Ｂの制御部２０５ｂは、ＣＰＵ等の処理装置（コンピュータ）である。制御部２０５ｂは、記憶部２０４からプログラムを読み取り実行することによって種々の動作を実行する。制御部２０５ｂは、制御部２０５が有する機能に加えて、スポットライトＳＬの照明領域を変更するための変更指示を照明装置１Ｂに送信する変更指示機能を有する。磁気センサー２０６は、磁北を検出する。
【００７４】
次に、動作（主に照明領域変更機能および変更指示機能）を説明する。
図１２は、照明装置１Ｂと電子機器２Ｂの動作を説明するためのシーケンス図である。
ユーザーは、スポットライトＳＬの照明領域を変更する場合、電子機器２Ｂの入力部２０１を操作して変更要求を入力する。制御部２０５ｂは、入力部２０１が変更要求を受け取ると、通信部２０３から照明装置１Ｂに変更要求を送信する（ステップＳ１２０１）。
【００７５】
照明装置１Ｂの通信部１０４が変更要求を受信すると、制御部１０６ｂは、現在のスポットライトＳＬの照明領域を方位と共に示す領域画像を、通信部１０４から電子機器２Ｂに送信する（ステップＳ１２０２）。方位は磁気センサー１０７によって検出される。なお、制御部１０６ｂは、領域画像を送信する前に、領域画像のコピーを記憶部１０５に記憶する。
【００７６】
図１３は、方位付きの領域画像１３ａの一例を示した図である。領域画像１３ａは、方位画像１３ｂと、方位画像１３ｂに対応する現在のスポットライトＳＬの照明領域画像１３ｃと、を有する。方位画像１３ｂは方位を示す画像であり、照明領域画像１３ｃは現在のスポットライトＳＬの照明領域を示す画像である。また方位画像１３ｂが示す方位は、照明領域画像１３ｃが示す照明領域の、現実空間における方位を表している。
【００７７】
電子機器２Ｂの通信部２０３が領域画像１３ａを受信すると、制御部２０５ｂは、タッチパネルである入力部２０１に領域画像１３ａを表示する（ステップＳ１２０３）。この際、制御部２０５ｂは、領域画像１３ａの示す方位画像１３ｂが磁気センサー２０６の検出した方位と一致するように、領域画像１３ａの向きを制御する。
【００７８】
続いて、ユーザーが入力部２０１を用いて照明領域画像１３ｃを変更（例えば、拡大または縮小）する操作を実行すると、制御部２０５ｂは、照明領域画像１３ｃに対する変更を受け付ける（ステップＳ１２０４）。
図１４は、電子機器２Ｂに表示された照明領域画像１３ｃの変更の一例を示した図である。図１４に示した例では、照明領域画像１３ｃの南側の境界１３ｃＳが北方向に移動されている。
【００７９】
続いて、制御部２０５ｂは、照明領域画像１３ｃに対する変更の内容を方位と方位における変更の大きさとで示す変更情報を作成する（ステップＳ１２０５）。例えば、制御部２０５ｂは、領域画像１３ａにおける照明領域画像１３ｃをステップＳ１２０４で受け付けた変更に応じて変更する。そして、制御部２０５ｂは、変更後の領域画像１３ａを変更情報として用いる。図１５は、変更情報（変更後の領域画像１３ａ）の一例を示した図である。また、制御部２０５ｂは、表示中の領域画像１３ａを変更後の領域画像１３ａに変更する。
【００８０】
その後、ユーザーが入力部２０１を操作して変更完了を入力すると、制御部２０５ｂは、変更情報（変更後の領域画像１３ａ）が付加された変更指示を、通信部２０３から照明装置１Ｂに送信する（ステップＳ１２０６）。
【００８１】
照明装置１Ｂの通信部１０４が変更指示を受信すると、制御部１０６ｂは、変更指示に基づいて変更部１０２を制御して照明領域を変更する（ステップＳ１２０７）。
ステップＳ１２０７では、制御部１０６ｂは、まず、変更指示に付加された変更後の領域画像１３ａと、記憶部１０５に記憶していた変更前の領域画像１３ａとを比較して、各方位における照明領域画像１３ｃの変更内容を特定する。続いて、制御部１０６ｂは、各方位における照明領域画像１３ｃの変更内容に従って変更部１０２の各セルのオン・オフを制御して照明領域を変更する。
【００８２】
本実施形態によれば、ユーザーは、電子機器２Ｂを操作することで照明装置１Ｂの照明領域を変更できる。このため、照明装置１Ｂの照明領域を簡単に変更できる。
【００８３】
＜変形例＞
本発明は、上述した各実施形態に限定されるものではなく、例えば、次に述べるような各種の変形が可能である。また、次に述べる変形の態様の中から任意に選択された一または複数の変形を適宜組み合わせることもできる。
【００８４】
＜変形例１＞
第２実施形態の制御部１０６ａが、第３実施形態の制御部１０６ｂの有する照明領域変更機能を備え、かつ、第２実施形態の制御部２０５ａが、第３実施形態の制御部２０５ｂの有する変更指示機能を備えてもよい。
【００８５】
＜変形例２＞
上述した各実施形態では、変更期間では、領域１０２［１］〜１０２［２０］のうち照明位置に対応しない領域（以下「非対応領域」と称する）をオフにした。しかしながら、非対応領域をオフにせずに、非対応領域の光の透過率を、照明位置に対応する領域の光の透過率よりも低くしてもよい。この場合、上述したＡおよびＢを適宜変更することが望ましい。
【００８６】
＜変形例３＞
上述した各実施形態では、各領域が変更部１０２の複数のセルで構成されていた。しかしながら、各領域が変更部１０２の単一のセルで構成されてもよい。
なお、各実施形態のように、各領域が複数のセルで構成されている場合には、各領域が単一のセルで構成されている場合に比べて、変更期間を短くでき、また、スポットライトＳＬが当たったときの照度センサー２０２の出力を大きくすることができる。
【００８７】
＜変形例４＞
変更期間における照明位置の変更の手法は、図３に示した手法に限らず適宜変更可能である。例えば、変更期間における照明位置が以下のように変更されてもよい。
まず、制御部１０６、１０６ａまたは１０６ｂ（以下、まとめて「制御部１０６Ｚ」と称する）は、照明装置１が照明可能なエリアを２つに分け、その２つのエリアに対して順番に照明を当てて、電子機器２の測定値が大きい方のエリアを選択する。続いて、制御部１０６Ｚは、選択したエリアを２つに分け、その２つのエリアに対して順番に照明を当てて、電子機器２の測定値が大きい方のエリアを選択する。以下、制御部１０６Ｚは、上述した動作を、照明を当てるエリアの大きさが所定値以下になるまで繰り返す。
図１６は、変更期間における上述した照明位置の変更例を示した図である。図１６に示した例では、各段階において、２つの照明エリア１６ａのうち、電子機器２の測定値が大きい方のエリア（電子機器２が存在するエリア）が選択される。
【００８８】
＜変形例５＞
記憶部１０５が、電子機器２または２ａ（以下、まとめて「電子機器２Ｚ」と称する）を用いて設定された照明位置を記憶し、その後、ユーザーが電子機器２Ｚを操作して記憶済みの照明位置を選択することで、選択された照明位置に照明が当てられてもよい。変形例５によれば、過去に試した照明を再現可能になる。
さらに、ユーザーが、電子機器２Ｚを操作して記憶済みの照明位置を選択した後に、電子機器２Ｚを操作して当該照明位置を非選択とした場合に、照明をオフにしてもよい。
また、例えば、照明装置１、１Ａまたは１Ｂ（以下、まとめて「照明装置１Ｚ」と称する）が照明を実行している状況で、ユーザーが電子機器２Ｚを操作して記憶済みの照明位置を選択した場合、照明装置１Ｚは、実行中の照明を維持しながら、選択された照明位置にも照明を当ててもよい。
【００８９】
＜変形例６＞
各実施形態において、光学系１０３が省略されてもよい。
【００９０】
＜変形例７＞
照明位置［ｎ］の数は２０に限らず複数であればよい。
【００９１】
＜変形例８＞
照明装置１Ｚは、天井とは異なる場所に設置されてよい。また、照明装置１Ｂが特定の場所に設置される場合、照明装置１Ｂに方位（東西南北）が設定されれば、照明装置１Ｂの磁気センサー１０７が省略されてもよい。
【００９２】
＜変形例９＞
第３実施形態では、変更情報として、変更後の領域画像１３ａが用いられた。しかしながら、変更情報は、変更後の領域画像１３ａに限らず適宜変更可能である。例えば、変更情報として、照明領域画像１３ｃに対する変更の内容を、方位と、方位における変更の大きさを数値や識別子等で示すデータと、を用いて表す情報（以下「変更内容提示情報」と称する）が用いられてもよい。
この場合、ユーザーが入力部２０１を操作して変更完了を入力すると、制御部２０５ｂは、変更内容提示情報（変更情報）が付加された変更指示を、通信部２０３から照明装置１Ｂに送信する。照明装置１Ｂの通信部１０４が変更指示を受信すると、制御部１０６ｂは、変更指示に付加された変更内容提示情報に従って変更部１０２の各セルのオン・オフを制御して照明領域を変更する。
【符号の説明】
【００９３】
１…照明装置、１０１…光源、１０２…変更部、１０３…光学系、１０４…通信部、１０５…記憶部、１０６…制御部、２…電子機器、２０１…入力部、２０２…照度センサー、２０３…通信部、２０４…記憶部、２０５…制御部。
【図１】
2018022552.tif 000003
【図２】
2018022552.tif 000004
【図３】
2018022552.tif 000005
【図４】
2018022552.tif 000006
【図５】
2018022552.tif 000007
【図６】
2018022552.tif 000008
【図７】
2018022552.tif 000009
【図８】
2018022552.tif 000010
【図９】
2018022552.tif 000011
【図１０】
2018022552.tif 000012
【図１１】
2018022552.tif 000013
【図１２】
2018022552.tif 000014
【図１３】
2018022552.tif 000015
【図１４】
2018022552.tif 000016
【図１５】
2018022552.tif 000017
【図１６】
2018022552.tif 000018